(57)【要約】【課題】            可撓性シート部の耐久性を向上することができる開閉装置を提供する。【解決手段】        少なくとも開放方向端部側に可撓性シート部１１を有する開閉体１０と、該開閉体１０における可撓性シート部１１を外周面に止着した巻取体２０とを備え、該開閉体１０を該巻取体２０により巻き取ったり繰り出したりするようにした開閉装置において、前記可撓性シート部１１が、開閉体幅方向へわたる撓みを有する状態で前記巻取体２０の外周面に止着されている。【選択図】          図１
2007138659.tif 000002
【特許請求の範囲】
【請求項１】
少なくとも開放方向端部側に可撓性シート部を有する開閉体と、該開閉体における可撓性シート部を外周面に止着した巻取体とを備え、該開閉体を該巻取体により巻き取ったり繰り出したりするようにした開閉装置において、
前記可撓性シート部が、開閉体幅方向へわたる撓みを有する状態で前記巻取体の外周面に止着されていることを特徴とする開閉装置。
【請求項２】
上記可撓性シート部に、上記巻取体の外周面に止着される止着部を開閉体幅方向へわたって複数配設し、
上記巻取体には、上記可撓性シート部の前記止着部の各々が止着される被止着部を、前記止着部の数に対応して複数配設し、
前記止着部の配設ピッチを前記被止着部の配設ピッチよりも長くしたことを特徴とする請求項１記載の開閉装置。
【請求項３】
上記可撓性シート部に、剛性材料からなり開閉体幅方向へわたる止着部材を一体的に設け、これら可撓性シート部および止着部材に複数の止着具を挿通させ、各止着具の先端を上記巻取体に止着するようにした開閉装置であって、
上記可撓性シート部には、前記止着具を挿通させるための貫通孔が開閉体幅方向へわたって複数配設され、
前記止着部材には、前記止着具を貫通させるための貫通孔が開閉体幅方向へわたって複数配設され、
上記巻取体には、前記止着具の先端を止着するための被止着部が開閉体幅方向へわたって複数配設され、
前記止着部材の複数の貫通孔の配設ピッチと上記巻取体の複数の被止着部の配設ピッチとを略同一ピッチにするとともに、これら貫通孔及び被止着部の配設ピッチよりも、上記可撓性シート部の複数の貫通孔の配設ピッチを長くしたことを特徴とする請求項１記載の開閉装置。
【請求項４】
上記巻取体は、開閉体幅方向へわたって所定間隔置きに配設された複数の巻取体構成部材を、これら巻取体構成部材よりも外径の小さい軸部材によって連結してなり、
上記可撓性シート部は、隣り合う前記巻取体構成部材間に対応する範囲に、撓み部分を形成していることを特徴とする請求項１乃至３何れか１項記載の開閉装置。
【請求項５】
上記可撓性シート部は、複数のシート部構成部材を開閉体幅方向に連設し、隣り合うシート部構成部材間を着脱可能な止着手段によって接続するとともに、その接続箇所において開閉体幅方向に撓みを有することを特徴とする請求項１乃至４何れか１項記載の開閉装置。
【請求項６】
上記止着手段は、隣り合うシート部構成部材の端部同士の重ね合わせ部分に、開閉体開閉方向へわたって複数設けられるとともに、開閉体幅方向へわたっても複数設けられていることを特徴とする請求項５記載の開閉装置。
【発明の詳細な説明】
【技術分野】
【０００１】
本発明は、可撓性シート部を有する開閉体により空間を仕切ったり開放したりする開閉装置、特に所謂スクリーンシャッター装置として好適な開閉装置に関するものである。
【背景技術】
【０００２】
従来、この種の発明には、特許文献１に記載されたもののように、巻取ドラム（７）の外周面に、可撓性シート部（難燃性耐火シート体１４）を複数の取付けねじ（２７）によって止着するようにした耐火スクリーン取付装置がある。
この従来技術における前記可撓性シート部（難燃性耐火シート体１４）の取付け構造について、詳細に説明すれば、可撓性シート部（難燃性耐火シート体１４）の開閉体開放方向端部側に、前記取付けねじ（２７）を貫通させるための連通孔（２４）を幅方向へわたって複数形成し、これら連通孔（２４）に対応するように、巻取ドラム（７）に複数のねじ孔（１８）を形成し、各連通孔（２４）に取付けねじ（２７）を挿通させ、その取付けねじ（２７）の先端側を巻取ドラム（７）のねじ孔（１８）に螺着するようにしている。
したがって、可撓性シート部（難燃性耐火シート体１４）の複数の連通孔（２４）と、巻取ドラム（７）の複数のねじ孔（１８）とは、略同一ピッチで配設され、可撓性シート部（難燃性耐火シート体１４）を巻取ドラム（７）に取り付けて取付けねじ（２７）を締め付けた状態では、可撓性シート部（難燃性耐火シート体１４）が開閉体幅方向の撓みのない状態で略平坦状に張られる。
【０００３】
ところで、上記のような開閉装置では、可撓性シート部（難燃性耐火シート体１４）の下端に、地面や床面、枠部材等に当接させるための座板部材（難燃性着床対１６）が接続され、該座板部材の重量により可撓性シート部（難燃性耐火シート体１４）が閉鎖方向へ引っ張られるようになっている。
そのため、可撓性シート部（難燃性耐火シート体１４）は、開閉方向への張力に耐え得るように、その材質や、厚み等が適宜に設定されていた。
【０００４】
しかしながら、上記従来技術が実際に現場等に設置された状況では、可撓性シート部（難燃性耐火シート体１４）に対し、前記開閉方向への張力以外に、開閉体幅方向の張力も作用する。
すなわち、可撓性シート部（難燃性耐火シート体１４）の閉鎖時や開閉動作時には、風圧や、開閉動作による振動等、可撓性シート部（難燃性耐火シート体１４）の寸法バラツキ等に起因して、可撓性シート部（難燃性耐火シート体１４）に対し開閉体幅方向の張力も作用する。
また、可撓性シート部（難燃性耐火シート体１４）が巻取ドラム（７）に巻き取られた状態では、可撓性シート部（難燃性耐火シート体１４）の厚みのバラツキや、開閉体幅方向の重量バランスの偏り等に起因して、可撓性シート部（難燃性耐火シート体１４）に対しねじれ荷重が作用する場合もある。
したがって、可撓性シート部（難燃性耐火シート体１４）には、開閉体開閉方向の張力、開閉体幅方向の張力、及びこれら張力の複合力が作用することになり、ひいては、この複合力により可撓性シート部（難燃性耐火シート体１４）が破損してしまうおそれがある。
特に、前記開閉体幅方向の張力は、可撓性シート部（難燃性耐火シート体１４）の幅方向寸法が長くなるほど大きくなる傾向がある。そのため、上記従来技術によれば、可撓性シート部が幅方向へ長尺なロングタイプのスクリーンシャッター装置において、可撓性シート部の耐久性を確保するのが困難であった。
【特許文献１】特開平１０−２０１８６９号公報
【発明の開示】
【発明が解決しようとする課題】
【０００５】
本発明は上記従来事情に鑑みてなされたものであり、その課題とする処は、可撓性シート部の耐久性を向上することができる開閉装置を提供することにある。
【課題を解決するための手段】
【０００６】
上記課題を解決するために第一の発明は、少なくとも開放方向端部側に可撓性シート部を有する開閉体と、該開閉体における可撓性シート部を外周面に止着した巻取体とを備え、該開閉体を該巻取体により巻き取ったり繰り出したりするようにした開閉装置において、前記可撓性シート部が、開閉体幅方向へわたる撓みを有する状態で前記巻取体の外周面に止着されていることを特徴とする。
【０００７】
ここで、本発明に係わる開閉装置には、開閉体が閉鎖動作のみを行うように用いられる態様（例えば、非常時のみ遮煙や遮炎等の目的で閉鎖されるシャッター装置等）や、開閉体が開放動作のみを行うように用いられる態様（例えば、非常時のみ脱出等の目的で開放されるシャッター装置等）、開閉体が開放動作と閉鎖動作との双方を行うように用いられる態様等を含む。
【０００８】
また、上記開閉体は、少なくとも開放方向端部側に可撓性シート部を有するものであればよい。したがって、この開閉体には、例えば、略全域を可撓性シート部により構成した態様や、開放方向端部側を可撓性シート部により構成するとともにその閉鎖方向側を所謂スラットやパイプ等により構成するようにした態様等を含む。
なお、上記可撓性シート部とは、可撓性のシート材により構成された部位を意味する。また、この可撓性シート部は、材質的には、合成樹脂材製や布製等を含むが、特に耐火性（難燃性や不燃性等を含む）を考慮する場合には、耐火性を有する材料、あるいは耐火性を有するように加工された材料によってシートを構成することが好ましい。
【０００９】
また、「前記可撓性シート部が、開閉体幅方向へわたる撓みを有する状態で前記巻取体の外周面に止着されている」という構成には、例えば、可撓性シート部をネジやボルト等の止着手段によって巻取体の外周面に止着するようにした態様や、可撓性シート部を巻取体の外周面に接着や貼着するようにした態様等を含む。
【００１０】
また、第二の発明は、上記可撓性シート部に、上記巻取体の外周面に止着される止着部を開閉体幅方向へわたって複数配設し、上記巻取体には、上記可撓性シート部の前記止着部の各々が止着される被止着部を、前記止着部の数に対応して複数配設し、前記止着部の配設ピッチを前記被止着部の配設ピッチよりも長くしたことを特徴とする。
【００１１】
ここで、上記止着部とは、巻取体の外周面に止着される部分のことを意味し、この止着部には、例えば、可撓性シート部を巻取体に止着するためのネジやボルト等を挿通させる貫通孔や、可撓性シート部を巻取体に対し凹凸状に嵌合させるために可撓性シート部に設けられた凸部又は凹部等を含む。
また、上記被止着部とは、巻取体において上記止着部が止着される部分のことを意味する。この被止着部は、例えば、上記止着部をネジやボルト等を挿通させる貫通孔とした場合、そのネジやボルト等を螺合させるためのネジ孔とすればよく、また、上記止着部を凸部又は凹部とした場合には、その凸部又は凹部を凹凸状に嵌合させるための凹部又は凸部とすればよい。
【００１２】
また、第三の発明は、上記可撓性シート部に、剛性材料からなり開閉体幅方向へわたる止着部材を一体的に設け、これら可撓性シート部および止着部材に複数の止着具を挿通させ、各止着具の先端を上記巻取体に止着するようにした開閉装置であって、上記可撓性シート部には、前記止着具を挿通させるための貫通孔が開閉体幅方向へわたって複数配設され、前記止着部材には、前記止着具を貫通させるための貫通孔が開閉体幅方向へわたって複数配設され、上記巻取体には、前記止着具の先端を止着するための被止着部が開閉体幅方向へわたって複数配設され、前記止着部材の複数の貫通孔の配設ピッチと上記巻取体の複数の被止着部の配設ピッチとを略同一ピッチにするとともに、これら貫通孔及び被止着部の配設ピッチよりも、上記可撓性シート部の複数の貫通孔の配設ピッチを長くしたことを特徴とする。
【００１３】
ここで、上記止着部材は、材質的には、金属製や、セラミック製、硬質合成樹脂製、木製、石製等を含むが、特に耐火性（難燃性や不燃性等を含む）を考慮する場合には、耐火性を有する材質の金属製やセラミック製等であることが好ましい。
また、上記止着部材は、巻取体に対し、その全長にわたって設けられていてもよいし、部分的に設けられていてもよい。
更に、上記止着部材は、単数の部材であってもよいし、開閉体幅方向へ配設される複数の部材から構成されるものであってもよい。
また、上記可撓性シート部に止着部材を一体的に設けるようにした構造には、例えば、可撓性シート部に袋状の部分を形成し、その部分に止着部材を挿通させるようにした態様や、止着部材を可撓性シート部に接着やネジ止め等するようにした態様、止着部材を可撓性シート部で包むようにした態様等を含む。
【００１４】
また、上記止着具は、可撓性シート部に挿通され巻取体に止着される部材であればよく、その具体例としては、ネジやボルト、リベット等が挙げられる。
なお、耐火性（難燃性や不燃性等を含む）を考慮する場合には、耐火性を有する材質の止着具とすることが好ましい。
【００１５】
また、第四の発明は、上記巻取体は、開閉体幅方向へわたって所定間隔置きに配設された複数の巻取体構成部材を、これら巻取体構成部材よりも外径の小さい軸部材によって連結してなり、上記可撓性シート部は、隣り合う前記巻取体構成部材間に対応する範囲に、撓み部分を形成していることを特徴とする。
【００１６】
また、第五の発明は、上記可撓性シート部は、複数のシート部構成部材を開閉体幅方向に連設し、隣り合うシート部構成部材間を着脱可能な止着手段によって接続するとともに、その接続箇所において開閉体幅方向に撓みを有することを特徴とする。
【００１７】
ここで、上記止着手段は、隣り合うシート部構成部材間を着脱可能に接続する構成であればよく、この止着手段には、衣類等に利用されるスナップやボタンを用いた構成や、スライドファスナーや面ファスナーを用いた構成、ステープルを用いた構成、磁石を用いた構成、ボルト・ナットを用いた構成、その他、着脱可能な係合部と被係合部を用いた構成等を含む。
【００１８】
なお、上記第五の発明は、上記第１〜４の何れか１の発明に従属しない独立した発明としても、後述する発明の効果に記載された第五の発明の作用効果を奏するものである。
すなわち、この独立した発明は、少なくとも開放方向端部側に可撓性シート部を有する開閉体と、該開閉体における可撓性シート部を外周面に止着した巻取体とを備え、該開閉体を該巻取体により巻き取ったり繰り出したりするようにした開閉装置において、上記可撓性シート部は、複数のシート部構成部材を開閉体幅方向に連設し、隣り合うシート部構成部材間を着脱可能な止着手段によって接続するとともに、その接続箇所において開閉体幅方向に撓みを有することを特徴とする。
【００１９】
また、第六の発明は、上記止着手段は、隣り合うシート部構成部材の端部同士の重ね合わせ部分に、開閉体開閉方向へわたって複数設けられるとともに、開閉体幅方向へわたっても複数設けられていることを特徴とする。
【００２０】
なお、本明細書中において「開閉体厚さ方向」とは、閉鎖状態の開閉体の厚さ方向を意味する。
また、本明細書中において「開閉体幅方向」とは、開閉体の開閉方向と略直交する方向であって、上記開閉体の厚さ方向ではない方向を意味する。
また、本明細書中において「開閉体開閉方向」とは、開閉体が空間を仕切ったり開放したりするために移動する方向を意味する。
【発明の効果】
【００２１】
本発明は、以上説明したように構成されているので、以下に記載されるような作用効果を奏する。
第一の発明によれば、可撓性シート部の撓み部分によって、可撓性シート部に開閉体幅方向の張力が作用するのを軽減することができる。
ひいては、風圧や、開閉時の振動、寸法精度のバラツキ等に起因して、可撓性シート部に開閉体幅方向の張力やねじれ荷重等が作用し、該可撓性シート部が損傷したり等するのを防ぎ、可撓性シート部の耐久性を向上することができる。
【００２２】
更に、第二の発明によれば、可撓性シート部の止着部間のピッチが巻取体の被止着部間のピッチよりも長いため、可撓性シート部における止着部間に撓みが形成される。
したがって、可撓性シート部を開閉体幅方向へわたる撓みを有する状態で巻取体の外周面に止着する構造を、生産性の良好な具体的態様とすることができる。
【００２３】
更に、第三の発明によれば、止着部材により可撓性シート部を巻取体に止着する際の作業性を向上することができるのは勿論のこと、可撓性シート部の貫通孔の配設ピッチが止着部材の貫通孔及び巻取体の被止着部の配設ピッチよりも長いため、可撓性シート部の貫通孔間の部分に撓みを形成することができる。
したがって、可撓性シート部を開閉体幅方向へわたる撓みを有する状態で巻取体の外周面に止着する構造を、より生産性の良好な具体的態様とすることができる。
【００２４】
更に、第四の発明によれば、可撓性シート部が、隣り合う巻取体構成部材間の空間に入り込むようにして部分的に撓む。
すなわち、巻取体構成部材間の空間を利用して、可撓性シート部を比較的大きく撓ませることができ、ひいては、可撓性シート部に開閉体幅方向の張力が作用するのを、一層低減することができる。
【００２５】
更に、第五の発明によれば、可撓性シート部を開閉体幅方向に連設された複数のシート部構成部材から構成するとともに、これらシート部構成部材を着脱可能な止着手段によって接続しているため、比較的幅の広い可撓性シート部を生産性良く製造することができる上、幅広な可撓性シート部を現場で製造したり、可撓性シート部の幅方向長さを現場状況に応じて調整したり等することもできる。
しかも、止着手段による接続箇所において開閉体幅方向に撓みを有する構成としているため、その撓みによって開閉体幅方向に張力が作用するのを、より効果的に軽減することができる。
【００２６】
更に、第六の発明によれば、隣り合うシート部構成部材の重ね合わせ部分における一方のシート部構成部材が、風圧等の影響により捲れてしまうのを防ぐことができ、ひいては、前記捲れに起因して、可撓性シート材が巻取体に巻かれた際の巻径が大きくなったり、接続箇所が容易に外れてしまったり等するのを防ぐことができる。
【発明を実施するための最良の形態】
【００２７】
以下、本発明の実施の形態を図面に基づいて説明する。
本実施の形態による一例は、住宅やビル、倉庫、工場、地下街、トンネル、車両の荷台等の構築・構造物の開口部分や、構築・構造物の内部に配設され、前記開口部分を開閉したり、構築・構造物内部の空間を仕切ったり開放したりする開閉装置であって、特に、開閉体の略全域を可撓性シート材によって形成しているスクリーンシャッター装置として好ましい開閉装置ついて説明する。
【００２８】
この開閉装置は、可撓性シート部１１を有する開閉体１０と、該開閉体１０を巻き取ったり繰り出したりする巻取体２０と、該開閉体１０をその幅方向の両端部で開閉方向へ案内するガイドレール（図示せず）等を具備し、前記可撓性シート部１１が開閉体幅方向へわたる撓みを有する状態で前記巻取体２０の外周面に止着されている。
【００２９】
開閉体１０は、該開閉体１０の略全域を構成している可撓性シート部１１と、該可撓性シート部１１の開閉体開放方向側の端部に設けられた止着部材１２と、該可撓性シート部１１の開閉体閉鎖方向側の端部に設けられた座板部材１５とを備えている。
【００３０】
可撓性シート部１１は、後述する巻取体２０を構成する複数の巻取体構成部材２１にそれぞれ対応するように、複数のシート部構成部材１１ａを開閉体幅方向に連設し、隣り合うシート部構成部材１１ａ間を着脱可能な止着手段１３によって接続するとともに、その接続箇所において開閉体幅方向に撓みを形成している。
【００３１】
各シート部構成部材１１ａは、例えば、ガラスクロスやシリカクロス等の難燃性布地や、フッ素加工を施した塩化ビニル樹脂シート材、ガラス繊維を含んだ合成樹脂シート材等、難燃性や不燃性等を含む耐火性を有する可撓性シート材料からなる。
このシート部構成部材１１ａは、略矩形帯状のシート材を複数連接するように縫い付けて構成してもよいし、一枚のシート材を略矩形状に裁断することで構成してもよい。
各シート部構成部材１１ａの開閉体開放方向側の端部には、開閉体幅方向へわたって止着部材１２が挿入されるように、縦断面略袋状に形成にされ、その袋状部分には、巻取体構成部材２１に対し止着するための貫通孔状の止着部１１ａ１が、開閉体幅方向へわたって所定間隔置きに複数形成されている。
なお、止着部１１ａ１は、図示例によれば、止着具１４を挿通可能な貫通孔としているが、巻取体構成部材２１に対し止着するための他の構成、例えば巻取体構成部材２１に対し掛合されるようにしたフック状等の掛合部や、巻取体構成部材２１に対し凹凸状に嵌合するようにした凸部等とすることも可能である。
そして、隣り合うシート部構成部材１１ａ，１１ａは、その端部同士が重ね合わせられ、その重なり合う部分において、開閉体幅方向の張力を逃がすように開閉体幅方向に撓みを有する状態で、止着手段１３によって接続されている。
【００３２】
止着手段１３は、例えば、凹状部材１３ａと凸状部材１３ｂとを嵌め合わせるようにした所謂スナップ（図７（ａ）参照）や、ボタン体１３ｃをボタン孔１３ｄに通して係止するようにした所謂ボタン（図７（ｂ）参照）等の構成とすることができる。
止着手段１３を前記スナップとした場合には、隣り合うシート部構成部材１１ａ，１１ａを接続する際の作業性が良好であり、また、開閉体１０を閉鎖した際の閉鎖遮蔽性を有効に確保することができる。しかも、接続された状態の凹状部材１３ａと凸状部材１３ｂとを比較的容易に外すことができるため、例えば、非常時等に、開閉体１０が閉鎖状態であっても、凹状部材１３ａと凸状部材１３ｂとを外して避難用等の開口部を容易に形成することができ、また、突風等により可撓性シート部に強大な張力が発生した際等には、その際の張力により凹状部材１３ａと凸状部材１３ｂとが外れるため、可撓性シート部１１の損傷を防ぐことができる。
また、止着手段１３を前記ボタンとした場合には、ボタン体１３ｃの開閉体幅方向への移動をボタン孔１３ｄの変形によってある程度許容できるため、可撓性シート部１１に作用する開閉体幅方向の張力を緩和することができる。
なお、止着手段１３の他例としては、面ファスナーや、ボルトとナット、磁石、その他の係脱部材とすることも可能である。
【００３３】
そして、上記止着手段１３は、隣り合うシート部構成部材１１ａ，１１ａの端部同士の重ね合わせ部分１１ａ２に、開閉体開閉方向へわたって所定間隔置きに複数設けられるとともに、開閉体幅方向へわたっても所定間隔置きに複数設けられ、図示した好ましい一例によれば、開閉体開閉方向へわたって千鳥状に配置されている（図５参照）。
この止着手段１３の配置によれば、図６に示すように、重ね合わせ部分１１ａ２において、止着手段１３が開閉体幅方向へ複数（図示例によれば２列）配設されるため、仮に止着手段１３を開閉体幅方向へ単数列状に配設した場合（図８参照）では一方のシート部構成部材１１ａにおける重ね合わせ部分１１ａ２の端部が風圧等の影響で捲れ上がってしまうおそれがあるが、このような現象を防ぐことができる。
【００３４】
また、上記各シート部構成部材１１ａの開閉体開放方向側の縦断面略袋状の部分には、止着部材１２が挿入されている。
この止着部材１２は、巻取体２０の巻取体構成部材２１と略同一長さの棒状の部材でり、図示した好ましい一例によれば、縦断面矩形棒状の部材としている。
この止着部材１２の材質は、剛性材料であればよく、特に、耐火性を向上する観点より、鋼材やステンレス材等の金属材料とするのが好ましいが、硬質剛性樹脂材料や、木材、石材等とすることも可能である。
この止着部材１２には、止着具１４を挿入するために開閉体厚さ方向へ貫通する貫通孔１２ａ（図２参照）が、開閉体幅方向へわたって所定間隔置きに複数配設されている。
これら複数の貫通孔１２ａの配設ピッチＰ１は、上記シート部構成部材１１ａに設けられた複数の止着部１１ａ１の配設ピッチＰ２よりも若干短く設定されている（図４参照）。
したがって、この止着部材１２とシート部構成部材１１ａとに止着具１４を挿通させると、各シート部構成部材１１ａが、開閉体幅方向へわたる撓みを生じることになる（図２参照）。
【００３５】
また、巻取体２０は、開閉体幅方向へわたって所定間隔置きに配設された複数の巻取体構成部材２１を、これら巻取体構成部材よりも外径の小さい軸部材２２によって連結してなる。
巻取体構成部材２１は、金属材料からなる略円筒状の部材であり、その外周面には、止着具１４の先端を止着するための被止着部２１ａが、開閉幅方向へわたって所定間隔置きに複数設けられている。これら複数の被止着部２１ａの配設ピッチ３は、上記止着部材１２の複数の貫通孔１２ａの配設ピッチＰ１と略同一に設定されている。
【００３６】
なお、本実施の形態の一例によれば、前記止着具１４を耐火性を有するネジもしくはボルトとし、被止着部２１ａをネジ孔としているが、これら止着具１４及び被止着部２１ａは、シート部構成部材１１ａ及び止着部材１２に挿通される部材を、巻取体構成部材２１に止着する構造とすれば、他の構成（例えばリベット等）とすることも可能である。
また、軸部材２２は、隣り合う巻取体構成部材２１，２１間にブラケット等を介して、これら巻取体構成部材２１，２１を接続する軸状の部材であり、巻取体構成部材２１よりも小さい外径に形成されている。
また、図３に示す一例によれば、シート部構成部材１１ａ上端の略袋状の部分及び止着部材１２が巻取体構成部材２１の外周面から遠心方向へ突出する構造としているが、巻取体構成部材２１の外周面に巻取体軸方向に沿う凹溝を設け、該凹溝内に、前記略袋状の部分及び止着部材１２を挿入させることで、その突出量を小さくしてもよい。この構成によれば、巻取体構成部材２１に巻かれたシート部構成部材１１ａの巻き太りを軽減することができ、また、後述する一対のローラ２４ａ，２４ａとの摩擦等によって、シート部構成部材１１ａが磨耗や破損等してしまうおそれを低減することができる。
【００３７】
上記構成の巻取体２０は、その下方側に開閉体幅方向へわたって複数配置された一対のローラ２４ａ，２４ｂ（図３参照）によって、回動自在に受けられており、軸方向端部側に設けられた駆動源２５（例えば電動モータやエアーモータ、手動回転機構等）によって正逆方向へ回転する。
前記一対のローラ２４ａ，２４ｂは、その一方のローラ２４ａの中心と巻取体２０の中心とを結ぶ仮想直線と、その他方のローラ２４ｂの中心と巻取体２０の中心とを結ぶ仮想直線との角度θが略６０度になるように、軸受けブラケット等により支持されている。前記角度は、前記一対のローラ２４ａ，２４ｂから巻取体２０が脱落するのを防ぐことができ、且つ各ローラ２４ａ，２４ｂに作用する荷重を軽減することができる好適な値である。
なお、前記一対のローラ２４ａ，２４ｂを省き、複数の巻取体構成部材２１からなる巻取体２０の両端を、軸受け部材により回動自在に支持する構成とすることも可能である。
また、上記一対のローラ２４ａ，２４ｂに置換して、各巻取体構成部材２１をその下方側から受ける支持部材を設け、各巻取体構成部材２１を該支持部材上で滑らせることで回転させる構造とすることも可能である。
【００３８】
次に、上記巻取体２０に対する開閉体１０の止着構造について、より詳細に説明する。
上記したように、止着部材１２の複数の貫通孔１２ａの配設ピッチＰ１と巻取体２０における巻取体構成部材２１の複数の被止着部２１ａの配設ピッチＰ２とが略同一ピッチに設定され、これら貫通孔１２ａ及び被止着部２１ａの配設ピッチよりも、可撓性シート部１１におけるシート部構成部材１１ａの複数の配設ピッチＰ３が若干長く設定されている（図４参照）。
また、隣り合うシート部構成部材１１ａ，１１ａの間における止着部１１ａ１，１１ａ１の配設ピッチＰ２’は、隣り合う巻取体構成部材２１，２１間の被止着部２１ａ，２１ａの配設ピッチＰ３’よりも若干長く設定されている。
【００３９】
上記構成によれば、複数のシート部構成部材１１ａ及び複数の止着部材１２を、止着具１４によって、それぞれ対応する巻取体構成部材２１に止着した状態（図３に示す状態）では、各シート部構成部材１１ａが、その止着部１１ａ１，１１ａ１間に、撓み部分ｙ１を形成することになる（図２参照）。
更に、隣り合うシート部構成部材１１ａ，１１ａの重ね合わせ部分１１ａ２が、隣り合う巻取体構成部材２１，２１間の空間に入り込むことで、撓み部分ｙ２を形成することになる（図２参照）。
したがって、可撓性シート部１１には、開閉体幅方向にわたって複数の撓み部分ｙ１，ｙ２が形成されることになる。
よって、風圧や、開閉体１０の開閉動作時の振動、可撓性シート部１１各部の寸法制度のバラツキ等に起因して、閉鎖時の可撓性シート部１１に開閉体幅方向の張力が作用したり、巻取体２０に巻き取られた際の可撓性シート部１１にねじれ荷重が作用したり等して、可撓性シート部１１が損傷してしまうのを防ぐことができ、可撓性シート部１１の耐久性を向上することができる。
【図面の簡単な説明】
【００４０】
【図１】本発明に係わる開閉装置の要部斜視図である。
【図２】同開閉装置の要部平面図であり、可撓性シート部を断面で示している。
【図３】同開閉装置の縦断面図である。
【図４】同開閉装置において、可撓性シート部、止着部材、及び巻取体構成部材における止着箇所のピッチを示す横断面図である。
【図５】可撓性シート部の要部正面図である。
【図６】可撓性シート部の接続箇所を示す横断面図である。
【図７】（ａ）と（ｂ）のそれぞれに止着手段の一例を示す横断面図である。
【図８】可撓性シート部の接続箇所において、止着手段を開閉体開閉方向のみに配設した一例を示す横断面図である。
【符号の説明】
【００４１】
１０：開閉体
１１：可撓性シート部
１１ａ：シート部構成部材
１１ａ１：止着部
１１ａ２：重ね合わせ部分
１２：止着部材
１２ａ：貫通孔
１３：止着手段
１４：止着具
２０：巻取体
２１：巻取体構成部材
２１ａ：被止着部
ｙ１，ｙ２：撓み部分
【図１】
2007138659.tif 000003
【図２】
2007138659.tif 000004
【図３】
2007138659.tif 000005
【図４】
2007138659.tif 000006
【図５】
2007138659.tif 000007
【図６】
2007138659.tif 000008
【図７】
2007138659.tif 000009
【図８】
2007138659.tif 000010
【手続補正書】
【提出日】平成18年3月24日(2006.3.24)
【手続補正１】
【補正対象書類名】明細書
【補正対象項目名】００３６
【補正方法】変更
【補正の内容】
【００３６】
なお、本実施の形態の一例によれば、前記止着具１４を耐火性を有するネジもしくはボルトとし、被止着部２１ａをネジ孔としているが、これら止着具１４及び被止着部２１ａは、シート部構成部材１１ａ及び止着部材１２に挿通される部材を、巻取体構成部材２１に止着する構造とすれば、他の構成（例えばリベット等）とすることも可能である。
また、軸部材２２は、隣り合う巻取体構成部材２１，２１間にブラケット等を介して、これら巻取体構成部材２１，２１を接続する軸状の部材であり、巻取体構成部材２１よりも小さい外径に形成されている。
また、図３に示す一例によれば、巻取体構成部材２１の外周面に巻取体軸方向に沿う凹溝を設け、該凹溝内に、シート部構成部材１１ａ上端の略袋状の部分及び止着部材１２を挿入させることで、その突出量を小さくしている。この構成によれば、巻取体構成部材２１に巻かれたシート部構成部材１１ａの巻き太りを軽減することができ、また、後述する一対のローラ２４ａ，２４ａとの摩擦等によって、シート部構成部材１１ａが磨耗や破損等してしまうおそれを低減することができる。